(57)【要約】【課題】ジャム処理用トレイを筐体の前側へ引き抜くことによって、ジャム用紙の用紙端を挟持しているローラ対を開放することができるようにする。【解決手段】用紙端が通過するガイド溝２１と、複数のローラ対３１〜３４と、ジャム処理用トレイ８０とを備える。ジャム処理用トレイ８０にカム面８４を有するリブ８３を追加する。押圧ローラ５１〜５４を定位置回転ローラ４１〜４４に対する接離方向に揺動可能に支持するホルダ６１〜７１と、押圧ローラ５１〜５４を定位置回転ローラ４１〜４４から離反する方向に弾発付勢するばね体６７，７７と、カム面８４に係合して押圧ローラ５１〜５４を定位置回転ローラに接近する方向に揺動させるレバー部材６４，７４とを有する。【選択図】　　　　図２
2004020953.tif 000002
【特許請求の範囲】
【請求項１】
用紙端が通過するガイド溝と、このガイド溝に沿う紙送り経路の複数箇所で用紙端に送り力を付与する複数のローラ対と、紙送り経路の下側のセット位置に配備されるジャム処理用トレイとを備え、上記ローラ対が定位置回転ローラとこの定位置回転ローラに対して用紙端を押し付ける押圧ローラとを有していると共に、上記トレイが、当該装置の筐体の前側へ引出し可能でかつ筐体の前側から上記セット位置に挿入可能になっている画像形成装置において、
上記トレイが用紙給送方向に長い複数条のリブを有してなり、このトレイに、上端面がカム面として形成されたリブが追加されていると共に、上記押圧ローラが定位置回転ローラに対して接離方向に変位可能とされ、かつ、その押圧ローラが押圧ばねの付勢によって定位置回転ローラに対する接近方向に常時弾発付勢されており、
上記カム面に係合することによって上記押圧ばねの付勢で押圧ローラを定位置回転ローラに押圧させ、かつ、カム面から離脱することによって押圧ローラを上記押圧ばねの付勢に抗して定位置回転ローラから引き離す弾発付勢手段を有し、この弾発付勢手段が、押圧ローラを定位置回転ローラに対する接離方向に揺動可能に支持するアーム状のホルダと、押圧ローラが定位置回転ローラから離反する方向に上記ホルダを弾発付勢するばね体と、上記カム面に係合することにより上記ばね体の付勢に抗して押圧ローラが定位置回転ローラに接近する方向に上記ホルダーを揺動させるレバー部材とを有することを特徴とする画像形成装置。
【請求項２】
用紙端が通過するガイド溝と、このガイド溝に沿う紙送り経路の複数箇所で用紙端に送り力を付与する複数のローラ対と、紙送り経路の下側のセット位置に配備されるジャム処理用トレイとを備え、上記ローラ対が定位置回転ローラとこの定位置回転ローラに対して用紙端を押し付ける押圧ローラとを有していると共に、上記トレイが、当該装置の筐体の前側へ引出し可能でかつ筐体の前側から上記セット位置に挿入可能になっている画像形成装置において、
上記押圧ローラが定位置回転ローラに対して接離方向に変位可能とされ、上記トレイがそのセット位置から筐体の前側へ引き抜かれる動作に伴って、定位置回転ローラに用紙端を押圧していた押圧ローラを上記定位置回転ローラから引き離す押圧解除手段を備えることを特徴とする画像形成装置。
【請求項３】
上記押圧解除手段が、上記トレイに設けられたカム面と、このカム面に係合することによって押圧ローラを定位置回転ローラに押圧させ、かつ、カム面から離脱することによって押圧ローラを定位置回転ローラから引き離す弾発付勢手段でなる請求項２に記載した画像形成装置。
【請求項４】
上記弾発付勢手段が、押圧ローラを定位置回転ローラに対する接離方向に揺動可能に支持するアーム状のホルダと、押圧ローラが定位置回転ローラから離反する方向に上記ホルダを弾発付勢するばね体と、上記カム面に係合することにより上記ばね体の付勢に抗して押圧ローラが定位置回転ローラに接近する方向に上記ホルダーを揺動させるレバー部材とを有する請求項３に記載した画像形成装置。
【請求項５】
上記トレイが用紙給送方向に長い複数条のリブを有してなり、このトレイに、上端面が上記カム面として形成されたリブが追加されている請求項３又は請求項４に記載した画像形成装置。
【発明の詳細な説明】
【０００１】
【発明の属する技術分野】
本発明は、画像形成装置、特に紙送り経路中で発生したジャム用紙を取り除くときに、紙送り経路の下側のセット位置から引き抜かれるジャム処理用トレイを備えた画像形成装置に関する。
【０００２】
【従来の技術】
図６は電子写真プロセスを採用した画像形成装置としてのプリンタの説明図である。この画像形成装置は、用紙の表裏両面に画像を形成することのできる両面機能を備えている。また、この画像形成装置の筐体の内部は、帯電、現像、転写、定着などの用紙面での作像に必要なプロセスを行うための要素を内蔵した上部区画１、この上部区画を通過することによって表面に画像が形成された用紙をスイッチバックさせるスイッチバック区画２、スイッチバック区画２を通過した用紙が送り込まれる下部区画３、単段又は複数段の用紙カセット収容区画４などに分かれていて、スイッチバック区画２が筐体の後部に配備され、用紙カセット収容区画４が上部区画１と下部区画３の間に配備されている。
【０００３】
この形態の従来の画像形成装置では、下部区画３に、図７に示した用紙搬送ユニット１０と、図８に示したジャム処理用トレイ８０とが配備されている。
【０００４】
図７の用紙搬送ユニット１０は、用紙端が通過するガイド溝２１を備えた樹脂成形体でなるフレーム２０に、用紙端に送り力を付与する複数のローラ対３１，３２，３３，３４が取り付けられている。これらのローラ対３１〜３４のそれぞれは、定位置回転ローラと定位置回転ローラに対して用紙端を押し付ける押圧ローラとの組合せでなり、図例の２つのローラ対３１，３２では、下側の定位置回転ローラ４１，４２と上側の押圧ローラ５１，５２とが組み合わされ、他の２つのローラ対３３，３４では、上側の定位置回転ローラ４３，４４と下側の押圧ローラ５３，５４とが組み合わされている。これに対し、図８のジャム処理用トレイ８０は、前カバー８１に紙送り方向に長い複数条のリブ８２を設けてなる。
【０００５】
この画像形成装置において、図６で説明した上部区画１内を通過して表面に画像が形成された用紙がスイッチバック区画２に入ってその送り方向を前後逆向きにして下部区画３に入り、その用紙端が図７の用紙搬送ユニット１０のガイド溝２１を通過する間に用紙ジャムを生じた場合、そのジャムを解消させるためには、ジャム処理用トレイ８０を筐体の前側に引き抜いてジャム用紙の下側にスペースを確保し、そのスペースに手を差し入れてジャム用紙を取り出すという作業が行われる。また、必要に応じて、図６のカセット収容区画４に収容されている用紙カセットを筐体の前側へ引き抜いて下部区画３の上部に空間をつくり、その空間から手を差し入れてジャム用紙を取り出すという作業が行われる。
【０００６】
一方、特開２００２−７２７２０号公報（先行例１）、特開平１１−１８９３６３号公報（先行例２）、特開２００１−１７１９１７号公報（先行例３）、特開２００２−１２３３６号公報（先行例４）にはプリンタなどの画像形成装置内のジャム用紙を取り除きやすくする技術が開示されている。
【０００７】
これらの先行例１〜４はいずれも両面機能を備える画像形成装置の用紙搬送路で用紙ジャムが生じた場合に、そのジャム用紙を取り除いて用紙ジャムを解消するというジャム処理対策を提案したものである。
【０００８】
そして、先行例１では、定着部の出口部分で生じた用紙ジャムを解消するジャム処理対策として、定着装置を画像形成装置本体の後側へ引き出した後でその用紙搬搬送路を開放することによってジャム用紙を取り除くようにしている。
【０００９】
また、先行例２では、表面に画像が形成された用紙をスイッチバックさせるための用紙反転部の手前のニップ部付近で生じた用紙ジャムを解消するジャム処理対策として、筐体の前カバーを開け、ニップ部の搬送ローラをその相手方であるコマ切りローラから離してジャム用紙を取り除くようにしている。
【００１０】
先行例３では、表面に画像が形成された用紙がスイッチバックして送り込まれる横搬送部で用紙ジャムを生じたときのジャム処理対策として、プリンタ本体の後部に配備されて用紙をスイッチバックさせるための両面ユニットと共に上記横搬送部を筐体の後側に引き出した後、その横搬送部で用紙端を挾み付けている複数のローラ対のそれぞれの従動コロをその相手方である駆動コロから浮き上がらせてジャム用紙を取り除くようにしている。
【００１１】
先行例４では、表面に画像が形成された用紙がスイッチバックして横搬送路を通過した後、画像形成部に合流する箇所で用紙ジャムを生じたときのジャム処理対策として、筐体の前カバーを開け、レバー操作によって用紙搬送路を開放することによってジャム用紙を取り除くようにしている。
【００１２】
【発明が解決しようとする課題】
しかしながら、図７で説明した用紙搬送ユニット１０や図８で説明したジャム処理用トレイ８０とを備えた従来の画像形成装置において、用紙端が用紙搬送ユニット１０のガイド溝２１を通過する間に用紙ジャムを生じた場合、用紙端は複数のローラ対３１〜３４によって弾圧挟持されたままになっているため、ジャム処理用トレイ８０を筐体の前側へ引き抜いてジャム用紙の下側にスペースを作り、そるスペースから手を差し入れてジャム用紙を取り出すときに、用紙端をローラ対３１〜３４の間から引き抜くことが困難であったり、用紙を無理に引張ったために用紙が破れて用紙端がローラ対３１〜３４に挟まれたまま残ったりするといった事態の起こることがある。また、それらの事態を起こさせないことを意図して、ジャム処理用トレイを筐体の前側へ引き抜くことによってジャム用紙の下側にスペースを作って用紙の取出し操作を容易にした場合でも上記事態が起こらないとは限らない。
【００１３】
一方、先行例１や先行例３に見られるように、筐体の後側でのジャム処理操作が必要なものは、ジャム処理操作が面倒で、画像形成装置を室壁の前に設置してあるものではジャム処理のために画像形成装置を移動させる必要が生じて多大な労力が必要になるというような問題がある。
【００１４】
また、先行例２や先行例４のように筐体の前カバーを開いて画像形成装置の前側から操作でジャム処理ができるものでは、先行例１や先行例３のような問題はないけれども、先行例１の技術は、定着部の出口部分でのジャム処理対策であり、先行例４の技術は、用紙がスイッチバックして横搬送路を通過した後、画像形成部に合流する箇所でのジャム処理対策であるので、これらの技術を、図７で説明した横行の用紙搬送ユニット１０でのジャム処理に適用することはできない。
【００１５】
本発明は以上の問題や状況に鑑みてなされたものであり、図８で説明したジャム処理用トレイが、ジャム処理時に筐体の前側へ引き抜かれるようになっていることに着目し、そのトレイを活用することによって図７で説明した横行の用紙搬送ユニット１０でのジャム処理を容易にしかも確実に行うことのできる画像形成装置を提供することを目的とする。
【００１６】
【課題を解決するための手段】
本発明に画像形成装置は、用紙端が通過するガイド溝と、このガイド溝に沿う紙送り経路の複数箇所で用紙端に送り力を付与する複数のローラ対と、紙送り経路の下側のセット位置に配備されるジャム処理用トレイとを備え、上記ローラ対が定位置回転ローラとこの定位置回転ローラに対して用紙端を押し付ける押圧ローラとを有していると共に、上記トレイが、当該装置の筐体の前側へ引出し可能でかつ筐体の前側から上記セット位置に挿入可能になっている画像形成装置を対象としている。
【００１７】
そして、本発明では、上記押圧ローラが定位置回転ローラに対して接離方向に変位可能とされ、上記トレイがそのセット位置から筐体の前側へ引き抜かれる動作に伴って、定位置回転ローラに用紙端を押圧していた押圧ローラを上記定位置回転ローラから引き離す押圧解除手段を備えている。
【００１８】
この発明によると、ジャム処理用トレイをセット位置から筐体の前側へ引き抜くと、押圧解除手段の作用によって、定位置回転ローラに用紙端を押圧していた押圧ローラが上記定位置回転ローラから引き離されるので、ジャム用紙を取り出すときに、そのジャム用紙の用紙端がローラ対に弾圧挟持されたままになってジャム用紙を取り出すことができないという事態が起こらず、また、ジャム用紙が破れて用紙端がローラ対に挟まったまま残るという事態か起こらない。
【００１９】
本発明では、上記押圧解除手段が、上記トレイに設けられたカム面と、このカム面に係合することによって押圧ローラを定位置回転ローラに押圧させ、かつ、カム面から離脱することによって押圧ローラを定位置回転ローラから引き離す弾発付勢手段でなるという構成を採用することが可能である。これによると、ジャム処理用トレイを筐体の前側に引き抜く操作によって、弾発付勢手段がカム面から離脱するので、従来のジャム処理の場合と同様の、ジャム処理用トレイを筐体の前側に引き抜くという操作を通じてジャム処理を行うことが可能になる。
【００２０】
この場合には、上記弾発付勢手段が、押圧ローラを定位置回転ローラに対する接離方向に揺動可能に支持するアーム状のホルダと、押圧ローラが定位置回転ローラから離反する方向に上記ホルダを弾発付勢するばね体と、上記カム面に係合することにより上記ばね体の付勢に抗して押圧ローラが定位置回転ローラに接近する方向に上記ホルダーを揺動させるレバー部材とを有することが望ましい。
【００２１】
さらに、上記トレイが紙送り方向に長い複数条のリブを有してなり、このトレイに、上端面が上記カム面として形成されたリブが追加されていることが望ましい。これによると、カム面をリブの上端面によって形成しているので、カム面の形状が複雑にならない。
【００２２】
本発明に係る画像形成装置は、次の構成を採用することによっていっそう具体化される。すなわち、用紙端が通過するガイド溝と、このガイド溝に沿う紙送り経路の複数箇所で用紙端に送り力を付与する複数のローラ対と、紙送り経路の下側のセット位置に配備されるジャム処理用トレイとを備え、上記ローラ対が定位置回転ローラとこの定位置回転ローラに対して用紙端を押し付ける押圧ローラとを有していると共に、上記トレイが、当該装置の筐体の前側へ引出し可能でかつ筐体の前側から上記セット位置に挿入可能になっている画像形成装置において、上記トレイが紙送り方向に長い複数条のリブを有してなり、このトレイに、上端面がカム面として形成されたリブが追加されていると共に、上記押圧ローラが定位置回転ローラに対して接離方向に変位可能とされ、かつ、その押圧ローラが押圧ばねの付勢によって定位置回転ローラに対する接近方向に常時弾発付勢されており、上記カム面に係合することによって上記押圧ばねの付勢で押圧ローラを定位置回転ローラに押圧させ、かつ、カム面から離脱することによって押圧ローラを上記押圧ばねの付勢に抗して定位置回転ローラから引き離す弾発付勢手段を有し、この弾発付勢手段が、押圧ローラを定位置回転ローラに対する接離方向に揺動可能に支持するアーム状のホルダと、押圧ローラが定位置回転ローラから離反する方向に上記ホルダを弾発付勢するばね体と、上記カム面に係合することにより上記ばね体の付勢に抗して押圧ローラが定位置回転ローラに接近する方向に上記ホルダーを揺動させるレバー部材とを有する、という構成を採用することによっていっそう具体化される。このものの作用は以下の実施形態によって明らかにする。
【００２３】
【発明の実施の形態】
図１は本発明の実施形態に係る画像形成装置に採用されたジャム処理用トレイ８０の斜視図、図２は当該画像形成装置の使用状態での用紙搬送ユニット１０と上記トレイ８０とを示した要部側面図、図３はジャム処理時の用紙搬送ユニット１０の状態を示した側面図、図４及び図５は用紙搬送ユニット１０の異なる箇所の部分拡大側面図である。
【００２４】
この実施形態の画像形成装置についても、図６で説明したように、用紙の表裏両面に画像を形成することのできる両面機能を備え、その筐体の内部は、帯電、現像、転写、定着などの用紙面での作像に必要なプロセスを行うための要素を内蔵した上部区画１、この上部区画１を通過することによって表面に画像が形成された用紙をスイッチバックさせるスイッチバック区画２、スイッチバック区画２を通過した用紙が送り込まれる下部区画３、単段又は複数段の用紙カセット収容区画４などに分かれていて、スイッチバック区画２が筐体の後部に配備され、用紙カセット収容区画４が上部区画１と下部区画３の間に配備されている。そして、下部区画３に、図２及び図３に示した用紙搬送ユニット１０と、図１に示したジャム処理用トレイ８０とが配備されている。
【００２５】
図２又は図３に示した用紙搬送ユニット１０は、用紙端が通過するガイド溝２１を備えた樹脂成形体でなるフレーム２０に、上記ガイド溝２１に沿う紙送り経路の複数箇所で用紙端に送り力を付与する複数のローラ対３１，３２，３３，３４が取り付けられている。これらのローラ対３１〜３４のそれぞれは、定位置回転ローラと定位置回転ローラに対して用紙端を押し付ける押圧ローラとの組合せでなり、図例の２つのローラ対３１，３２では、下側の定位置回転ローラ４１，４２と上側の押圧ローラ５１，５２とが組み合わされ、他の２つのローラ対３３，３４では、上側の定位置回転ローラ４３，４４と下側の押圧ローラ５３，５４とが組み合わされている。
【００２６】
図４にローラ対３１を示してある。同図のように、このローラ対３１の押圧ローラ５１は、横軸６２を介してフレーム２０に支持されたホルダ６１の先端部に回転自在に取り付けられていて、横軸６２を中心として定位置回転ローラ４１に対する接離方向に揺動変位可能になっている。また、横軸６２に嵌合されたねじりコイルばねでなる押圧ばね６３の一端部６３ａがフレーム２０側のばね受け部２２に係止され、かつ、その他端部６３ｂがホルダ６１に係止されていて、この押圧ばね６３によりホルダ６１を介して押圧ローラ５１が定位置回転ローラ４１に接近する方向に常時弾発付勢されている。さらに、ホルダ６１の基部には、そのホルダ６１と相対回転可能にレバー部材６４の軸部６５が取り付けられ、かつ、レバー部材６４に設けられた枝部６６の先端部６６ａがホルダ６１に係止されていると共に、軸部６５に嵌合されたねじりコイルばねでなるばね体６７の一端部６７ａがフレーム２０側のばね受け部２３に係止され、かつ、その他端部６７ｂが枝部６６に係止されていて、このばね体６７により、枝部６６とホルダ６１とを介して押圧ローラ５１が定位置回転ローラ４１から離反する方向に常時弾発付勢されている。ここで、押圧ローラ５１を定位置回転ローラ４１に接近する方向に常時弾発付勢している上記押圧ばね６３の付勢力よりも、押圧ローラ５１を定位置回転ローラ４１から離反する方向に常時弾発付勢している上記ばね体６７のばね力が大きくなるように定められている。ローラ対３２もローラ対３１と同様の構成を有する。
【００２７】
また、図５に示したローラ対３４は、定位置回転ローラ４４と押圧ローラ５４との上下配置が図４のローラ対３１と逆になっているけれども、作用は図４のローラ対３１と同じである。すなわち、図５に示したローラ対３４では、押圧ローラ５４が、横軸７２を介してフレーム２０に支持されたホルダ７１の先端部に回転自在に取り付けられていて、横軸７２を中心として定位置回転ローラ４４に対する接離方向に揺動変位可能になっている。また、横軸７２に嵌合されたねじりコイルばねでなる押圧ばね７３の一端部７３ａがフレーム２０側のばね受け部２４に係止され、かつ、その他端部７３ｂがホルダ７１に係止されていて、この押圧ばね７３によりホルダ７１を介して押圧ローラ５４が定位置回転ローラ４４に接近する方向に常時弾発付勢されている。さらに、フレーム２０にレバー部材７４の軸部７５が取り付けられ、かつ、レバー部材７４に設けられた枝部７６の先端部７６ａがホルダ７１に係止されていると共に、軸部７５に嵌合されたねじりコイルばねでなるばね体７７の一端部７７ａがフレーム２０側のばね受け部２５に係止され、かつ、その他端部７７ｂが枝部７６に係止されていて、このばね体７７により、枝部７６とホルダ７１とを介して押圧ローラ５４が定位置回転ローラ４４から離反する方向に常時弾発付勢されている。ここで、押圧ローラ５４を定位置回転ローラ４４に接近する方向に常時弾発付勢している上記押圧ばね７３の付勢力よりも、押圧ローラ５４を定位置回転ローラ４４から離反する方向に常時弾発付勢している上記ばね体７７のばね力が大きくなるように定められている。ローラ対３３５ローラ対３４と同様の構成を有する。
【００２８】
これに対し、図１に示したジャム処理用トレイ８０は、前カバー８１に紙送り方向に長い複数条のリブ８２を設けてなる点で、図８で説明したものと同様であるけれども、図１のものでは、複数条のリブ８２の側方に、これらのリブ８２と平行な別のリブ８３が追加されており、そのリブ８３の上端面がカム面８４として形成されている。なお、カム面８４の先端部は先下がりの傾斜面８５になっている。
【００２９】
そして、このトレイ８０を図６で説明した下部区画３のセット位置に筐体の前側から挿入すると、図２のように、カム面８４に、上記した複数のローラ対３１〜３４のそれぞれの各レバー部材６４，７４が乗り上がって係合し、図４や図５に仮想線で示したように、それらのレバー部材６４，７４がばね体６７，７７の付勢に抗して反時計方向に回動され、そのために、押圧ばね６３，７３の付勢によって押圧ローラ５１，５４が定位置回転ローラ４１，４４に弾圧されるようになっている。また、トレイ８０を図６で説明した下部区画３のセット位置から筐体の前側へ引き抜くと、ばね体６７，７７の付勢が押圧ばね６３，７３の付勢に打ち勝つことによって、図３のように複数のローラ対３１〜３４のそれぞれの各レバー部材６４，７４が図４や図５に実線で示したように時計方向に回動され、そのために、押圧ローラ５１，５４が定位置回転ローラ４１，４４から離反されるようになっている。
【００３０】
以上において、上記したホルダ６１，７１とばね体６７、７７とレバー部材６４，７４とは、カム面８４に係合することによって押圧ばね６３，７３の付勢で押圧ローラ５１，５４を定位置回転ローラ４１，４４に押圧させ、かつ、カム面８４から離脱することによって押圧ローラ５１，５４を押圧ばね６３，７３の付勢に抗して定位置回転ローラ４１，４４から引き離す弾発付勢手段が形成されている。
【００３１】
この実施形態の画像形成装置において、用紙端が図２の用紙搬送ユニット１０のガイド溝２１を通過する間に用紙ジャムを生じた場合、そのジャムを解消させるためには、ジャム処理用トレイ８０を筐体の前側に引き抜いてジャム用紙の下側にスペースを確保し、そのスペースに手を差し入れてジャム用紙を取り出すという作業が行われる。この場合、ジャム処理用トレイ８０を筐体の前側に引き抜くと、ばね体６７，７７の付勢が押圧ばね６３，７３の付勢に打ち勝つことによって、図３のように複数のローラ対３１〜３４のそれぞれの各レバー部材６４，７４が図４や図５に実線で示したように時計方向に回動されて押圧ローラ５１，５４が定位置回転ローラ４１，４４から離反するので、各ローラ対３１〜３４によるジャム用紙の用紙端の挟持状態が解除される。そのため、手でジャム用紙を筐体の前側へ取り出すことができ、そのときにジャム用紙を取出しにくいという状況や、ジャム用紙が破れて用紙端がローラ対３１〜３４のところに残るといった状況が起こらない。また、ジャム処理を筐体の前側の操作だけで行うことができるため、たとえ画像形成装置が室壁の前に設置されていても、ジャム処理のためにその画像形成装置を移動させたりする必要はない。
【００３２】
【発明の効果】
以上のように、本発明に係る画像形成装置は、ジャム処理時に筐体の前側へ引き抜かれるジャム処理用トレイの引抜き操作を活用することによって、ローラ対による用紙端の挟持状態を解除するようにしてあるので、従来のジャム処理時の操作と同じ操作によって、ジャム用紙を容易かつ確実に取り出すことができるようになる。そのため、使用者にとっても違和感のない操作でジャム処理を確実に解消することができるようになる。
【００３３】
なお、上記した実施形態では、両面機能を備えた画像形成装置について説明したけれども、本発明に係る画像形成装置は、用紙の表面だけに画像を形成するタイプのものにも適用することが可能である。
【図面の簡単な説明】
【図１】本発明の実施形態に係る画像形成装置に採用されたジャム処理用トレイの斜視図である。
【図２】当該画像形成装置の使用状態での用紙搬送ユニットとジャム処理用トレイとを示した要部側面図である。
【図３】ジャム処理時の用紙搬送ユニットの状態を示した側面図である。
【図４】用紙搬送ユニットの部分拡大側面図である。
【図５】用紙搬送ユニットの他の箇所の部分拡大側面図である。
【図６】電子写真プロセスを採用した画像形成装置としてのプリンタの説明図である。
【図７】従来の画像形成装置に採用されていた用紙搬送ユニットの斜視図である。
【図８】従来の画像形成装置に採用されていたジャム処理用トレイの斜視図である。
【符号の説明】
２１　ガイド溝
３１，３２，３３，３４　ローラ対
４１，４２，４３，４４　定位置回転ローラ
５１，５２，５３，５４　押圧ローラ
６１，７１　ホルダ
６３，７３　押圧ばね
６４，７４　レバー部材
６７，７７　ばね体
８０　ジャム処理用トレイ
８２　リブ
８３　リブ
８４　カム面
【図１】
2004020953.tif 000003
【図２】
2004020953.tif 000004
【図３】
2004020953.tif 000005
【図４】
2004020953.tif 000006
【図５】
2004020953.tif 000007
【図６】
2004020953.tif 000008
【図７】
2004020953.tif 000009
【図８】
2004020953.tif 000010